(57)【要約】【課題】原稿から読み取った画像データを、ネットワークを介して複数の情報処理装置に送信可能な画像読み取り装置を使用する際の操作性の向上を実現する。【解決手段】デジタル複合機１において、ＣＰＵ４２はＬＡＮ２を介して接続される複数のパーソナルコンピュータＰＣ１〜ＰＣｎから、共有フォルダが設定されているパーソナルコンピュータＰＣを検索し、当該パーソナルコンピュータＰＣ及びパーソナルコンピュータＰＣに設定される共有フォルダ名をタッチパネル部５２に表示し、ユーザがタッチパネル部５２を用いて画像データの送信先のパーソナルコンピュータＰＣ及び共有フォルダを指定することにより、当該指定されたパーソナルコンピュータＰＣの共有フォルダにデジタル複合機１から画像データが送信される。【選択図】  図３
2004280607.tif 000002
【特許請求の範囲】
【請求項１】
原稿から読み取った画像データを、ネットワークを介して複数の情報処理装置に送信可能な画像読み取り装置であって、
前記複数の情報処理装置から共有フォルダが設定されている情報処理装置を検索する検索手段と、
前記検索手段により検索された情報処理装置を特定するための送信先識別情報及び前記情報処理装置に設定される共有フォルダを特定するためのフォルダ識別情報を表示する第１の表示手段と、
前記第１の表示手段に表示される送信先識別情報により特定される情報処理装置及びフォルダ識別情報により特定される共有フォルダから、ユーザが画像データの送信先として希望する情報処理装置及び共有フォルダを指定するための指定手段と、
前記指定手段により指定された情報処理装置の共有フォルダに、画像データを送信する送信手段とを備えたことを特徴とする画像読み取り装置。
【請求項２】
請求項１に記載された画像読み取り装置において、
前記指定手段により指定された前記情報処理装置にデータの送受信を制限するためのパスワードが設定されている場合に、当該パスワードを入力するための入力手段と、
前記入力手段により入力されたパスワードを前記情報処理装置に通知する通知手段とを備え、
前記送信手段は、
前記通知手段により前記情報処理装置に通知されたパスワードと、前記情報処理装置で設定されているパスワードが一致しない場合に、前記情報処理装置への画像データの送信が禁止されることを特徴とする画像読み取り装置。
【請求項３】
請求項１に記載された画像読み取り装置において、
前記検索手段による検索の結果、共有フォルダが設定されている情報処理装置が検索されなかった場合、ユーザが送信先として希望する情報処理装置において、ユーザによる共有フォルダの設定を促すためのメッセージを表示する第２の表示手段を備えたことを特徴とする画像読み取り装置。
【発明の詳細な説明】
【０００１】
【発明の属する技術分野】
本発明は、原稿から読み取った画像データをネットワーク上の情報処理装置に送信する画像読み取り装置に関する。
【０００２】
【従来の技術】
近年、オフィス等では、スキャナやデジタル複写機等のネットワークスキャナ装置をＬＡＮ（Ｌｏｃａｌ  Ａｒｅａ  Ｎｅｔｗｏｒｋ）等のネットワークを介して複数台のパーソナルコンピュータＰＣ（Ｐｅｒｓｏｎａｌ  Ｃｏｍｐｕｔｅｒ）等に接続することにより、ネットワークスキャナ装置（以下、画像読み取り装置という）で読み取った原稿データを各パーソナルコンピュータＰＣ（以下、情報処理装置という）に送信することが行われている（例えば、特許文献１，２参照）。
【０００３】
【特許文献１】
特開２００２−２９０６６１号公報
【特許文献２】
特開２００２−２７８７３６号公報
【０００４】
【発明が解決しようとする課題】
従来の画像読み取り装置では、読み取った画像データを情報処理装置に送信するためには、ユーザが情報処理装置側においてスキャナユーティリティをインストールする必要があり、このソフトウェアがインストールされていない情報処理装置には画像データを送信することができなかった。そのため、情報処理装置の操作方法に慣れていないユーザにとっては、スキャナユーティリティのインストール等の作業が面倒であり、利便性に欠けるという問題点があった。
【０００５】
本発明は、上記問題点を解消するためになされたものであり、情報処理装置側で簡易な設定を行うことにより、読み取った画像データを所望の情報処理装置に送信することができる画像読み取り装置を提供することを目的とする。
【０００６】
【課題を解決するための手段】
本発明の請求項１に係る画像読み取り装置は、原稿から読み取った画像データを、ネットワークを介して情報処理装置に送信可能な複数の画像読み取り装置であって、前記複数の情報処理装置から共有フォルダが設定されている情報処理装置を検索する検索手段と、前記検索手段により検索された情報処理装置を特定するための送信先識別情報及び前記情報処理装置に設定される共有フォルダを特定するためのフォルダ識別情報を表示する第１の表示手段と、前記第１の表示手段に表示される送信先識別情報により特定される情報処理装置及びフォルダ識別情報により特定される共有フォルダから、ユーザが画像データの送信先として希望する情報処理装置及び共有フォルダを指定するための指定手段と、前記指定手段により指定された情報処理装置の共有フォルダに、画像データを送信する送信手段とを備えたことを特徴とする。
【０００７】
この構成によれば、ユーザは予め画像データの送信先として希望する情報処理装置において共有フォルダの設定を行い、前記画像読み取り装置において前記指定手段を用いて情報処理装置及び共有フォルダを指定することにより、前記画像読み取り装置から前記指定された情報処理装置の共有フォルダに画像データが送信される。従って、従来では必要であった情報処理装置でのスキャナユーティリティのインストール等の作業が不要となり、情報処理装置の操作に不慣れなユーザにとっても簡易に画像読み取り装置を利用することができるようになり、操作性の向上を図ることができる。
【０００８】
本発明の請求項２に係る画像読み取り装置は、請求項１に記載された画像読み取り装置において、前記指定手段により指定された前記情報処理装置にデータの送受信を制限するためのパスワードが設定されている場合に、当該パスワードを入力するための入力手段と、前記入力手段により入力されたパスワードを前記情報処理装置に通知する通知手段とを備え、前記送信手段は、前記通知手段により前記情報処理装置に通知されたパスワードと、前記情報処理装置で設定されているパスワードが一致しない場合に、前記情報処理装置への画像データの送信が禁止されることを特徴とする。
【０００９】
この構成によれば、前記情報処理装置に設定されるパスワードにより前記画像読み取り装置から前記情報処理装置へのアクセス制限を行い、ユーザが意図しない画像データが前記画像読み取り装置から前記情報処理装置に送信されるのを防止することができる。
【００１０】
本発明の請求項３に係る画像読み取り装置は、請求項１に記載された画像読み取り装置において、前記検索手段による検索の結果、共有フォルダが設定されている情報処理装置が検索されなかった場合、ユーザが送信先として希望する情報処理装置において、ユーザによる共有フォルダの設定を促すためのメッセージを表示する第２の表示手段を備えたことを特徴とする。
【００１１】
この構成によれば、ユーザが送信先として希望する前記情報処理装置において共有フォルダの設定がなされていない場合に、適切な操作手順をユーザにガイダンスすることができ、操作性の向上を図ることができる。
【００１２】
【発明の実施の形態】
以下、本発明による画像読み取り装置の一例として本発明の一実施の形態によるデジタル複合機について図面を参照しながら説明する。図１は、本発明の一実施の形態によるデジタル複合機を用いたネットワークシステムの構成を示す図である。
【００１３】
図１に示すネットワークシステムは、デジタル複合機１及びパーソナルコンピュータＰＣ１〜ＰＣｎは、ネットワークの一例であるＬＡＮ（Ｌｏｃａｌ  Ａｒｅａ  Ｎｅｔｗｏｒｋ）２を介して接続され、ＴＣＰ／ＩＰ（Ｔｒａｎｓｍｉｓｓｉｏｎ  Ｃｏｎｔｒｏｌ  Ｐｒｏｔｏｃｏｌ／  Ｉｎｔｅｒｎｅｔ  Ｐｒｏｔｏｃｏｌ  ）プロトコルにより相互に通信可能であり、種々のデータ等を送受信可能な状態に構成されている。
【００１４】
図２は、本発明の一実施の形態によるデジタル複合機の機械的構成を主に示す側面概略図である。
【００１５】
デジタル複合機１は、本体部２００と、本体部２００の左側に配設された用紙後処理部３００と、ユーザが種々の操作指令等を入力するための操作部４００と、本体部２００の上部に配設された原稿読み取り部５００と、原稿読み取り部５００の上方に配設された原稿給送部６００とから構成される。
【００１６】
操作部４００は、タッチパネル４０１、スタートキー４０２及びテンキー４０３等を備える。タッチパネル４０１は、種々の操作画面を表示するとともに、ユーザが種々の操作指令を入力するための種々の操作ボタン等を表示する。スタートキー４０２は、ユーザが印刷実行指令等を入力するために用いられ、テンキー４０３は、印刷枚数等を入力するために用いられる。
【００１７】
原稿給送部６００は、原稿収納部６０１、原稿排出部６０２、給紙ローラ６０３及び原稿搬送部６０４等を備え、原稿読み取り部５００は、スキャナ５０１等を備える。給紙ローラ６０３は、原稿収納部６０１にセットされた原稿を繰り出し、原稿搬送部６０４は、繰り出される原稿を１枚ずつ順にスキャナ５０１上に搬送する。スキャナ５０１は搬送される原稿を順次読み取り、読み取られた原稿は原稿排出部６０２に排出される。
【００１８】
本体部２００は、複数の給紙カセット２０１、複数の給紙ローラ２０２、転写ローラ２０３、感光体ドラム２０４、露光装置２０６、現像装置２０７、定着ローラ２０８、排出口２０９、及び排出トレイ２１０等を備える。
【００１９】
感光体ドラム２０４は、矢印方向に回転しながら帯電装置（図示省略）によって一様に帯電される。露光装置２０６は、原稿読み取り部５００において読み取られた原稿の画像データに基づいて生成された変調信号をレーザ光に変換して出力し、感光体ドラム２０４に静電潜像を形成する。現像装置２０７は、黒色の現像剤を感光体ドラム２０４に供給してトナー画像を形成する。
【００２０】
一方、給紙ローラ２０２は、印刷用紙が収納された給紙カセット２０１から印刷用紙を引き出し、転写ローラ２０３まで給送する。転写ローラ２０３は、搬送された印刷用紙に感光体ドラム２０４上のトナー像を転写させ、定着ローラ２０８は、転写されたトナー像を加熱して印刷用紙に定着させる。その後、印刷用紙は、本体部２００の排出口２０９から用紙後処理部３００に搬入される。また、印刷用紙は、必要に応じて排出トレイ２１０へも排出される。
【００２１】
用紙後処理部３００は、搬入口３０１、印刷用紙搬送部３０２、搬出口３０３及びスタックトレイ３０４等を備える。印刷用紙搬送部３０２は、排出口２０９から搬入口３０１に搬入された印刷用紙を順次搬送し、最終的に搬出口３０３からスタックトレイ３０４へ印刷用紙を排出する。スタックトレイ３０４は、搬出口３０３から搬出された印刷用紙の集積枚数に応じて矢印方向に上下動可能に構成されている。
【００２２】
図３は、図２に示すデジタル複合機の電気的構成を主に示すブロック図である。デジタル複合機１は、スキャナ部１１、画像処理部２１、プリンタ部３１、制御部４１、操作パネル部５１、ネットワークＩ／Ｆ（インターフェース）部７１、及びＨＤＤ（ハードディスクドライブ）７４を備える。
【００２３】
操作パネル部５１は、図２に示すタッチパネル４０１等から構成されるタッチパネル部５２、及び図２に示すスタートキー４０２及びテンキー４０３等から構成される操作キー部５３を含む。操作パネル部５１は、ユーザがスキャナ機能、ファクシミリ機能、プリンタ機能、コピー機能等に関する操作を行うために使用され、ユーザによる操作指令等を制御部４１に与える。タッチパネル部５２は、タッチパネルとＬＣＤ（Ｌｉｑｕｉｄ  Ｃｒｙｓｔａｌ  Ｄｉｓｐｌａｙ）とを組み合わせたタッチパネルユニット等から構成され、種々の操作画面、例えば、スキャナ機能実行時には、ユーザ選択、送信先選択、送信設定（原稿サイズ、送信サイズ、読み込み解像度等）等に関する情報を表示するとともに、ユーザが当該部分をタッチすることにより種々の操作指令を入力するための操作ボタン等を表示する。操作キー部５３は、ユーザが印刷実行指令、スキャン開始指令、拡大送信開始指令等を入力するために用いられる。
【００２４】
スキャナ部１１は、図２に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像に対応する画像データを画像処理部２１へ出力する。
【００２５】
画像処理部２１は、補正部２２、画像加工部２３及び画像メモリ２４を含む。画像処理部２１は、読み取られた画像データを必要に応じて補正部２２及び画像加工部２３により処理し、処理された画像データを画像メモリ２４に記憶したり、プリンタ部３１又はネットワークＩ／Ｆ部７１等へ出力する。補正部２２は、読み取られた画像データに対してレベル補正、γ補正等の所定の補正処理を行う。画像加工部２３は、画像データの圧縮又は伸張処理、及び拡大又は縮小処理等の種々の加工処理を行う。
【００２６】
プリンタ部３１は、図２に示す給紙カセット２０１及び給紙ローラ２０２等から構成される用紙搬送部３２、図２に示す感光体ドラム２０４、露光装置２０６及び現像装置２０７等から構成される画像形成部３３、図２に示す転写ローラ２０３等から構成される転写部３４、及び図２に示す定着ローラ２０８等から構成される定着部３５を含む。プリンタ部３１は、スキャナ部１１により読み取られた原稿データ、ネットワークＩ／Ｆ部７１を介してパーソナルコンピュータＰＣ１〜ＰＣｎ等から送信された印刷データ等の画像データを用いて画像を記録紙に印刷する。具体的には、用紙搬送部３２は記録紙を画像形成部３３へ搬送し、画像形成部３３は上記の画像データに対応するトナー像を形成し、転写部３４はトナー像を記録紙に転写し、定着部３５はトナー像を記録紙に定着させて画像を形成する。
【００２７】
ネットワークＩ／Ｆ部７１は、ネットワークインタフェース（１０／１００Ｂａｓｅ−ＴＸ）等を用い、ＬＡＮ２を介して接続されたパーソナルコンピュータＰＣ１〜ＰＣｎ間での種々のデータの送受信を制御し、例えば、スキャナ部１１によって読み取られた原稿の画像データをパーソナルコンピュータＰＣ１〜ＰＣｎ等へ送信する。ＨＤＤ７４は、スキャナ部１１によって読み取られた画像データ及び当該画像データに設定されている出力形式等を記憶する。また、ＨＤＤ７４は、ＬＡＮ２を介して接続される複数のパーソナルコンピュータＰＣ１〜ＰＣｎから共有フォルダが設定されるパーソナルコンピュータＰＣ１〜ＰＣｎを検索するための検索用プログラムを記憶する。制御部４１は、ＣＰＵ４２、ＣＰＵ４２を制御する種々のプログラムなどを予め記憶するＲＯＭ４３および装置動作中に種々のデータを一時的に記憶するＲＡＭ４４等から構成され、装置各部を制御する。
【００２８】
図４は、図３に示すデジタル複合機１をネットワークスキャナ装置として用いて原稿を読み取る際の処理を説明するためのフローチャートである。
【００２９】
ユーザはデジタル複合機１のスキャナ機能を利用する前に、画像データの送信先のパーソナルコンピュータＰＣにおいて、デジタル複合機１から送信された画像データを保存するための供給フォルダの設定を予め行う必要がある。
【００３０】
ユーザがタッチパネル部５２を操作して、図５に示すスキャナ設定画面Ｇ１の中から宛先検索キー８１を押下することにより、ＨＤＤ７４に記録されている検索用プログラムが起動する。この検索用プログラムの起動によりステップＳ１に進み、ＣＰＵ４２は、ＬＡＮ２に接続される同一エリア内の各パーソナルコンピュータＰＣ１〜ＰＣｎとの通信接続処理を行い、ステップＳ２において、各パーソナルコンピュータＰＣ１〜ＰＣｎに対し、共有フォルダの設定がされているか否かを問い合わせる。各パーソナルコンピュータＰＣ１〜ＰＣｎにおけるＣＰＵ（図示省略）は、装置内において共有フォルダの検索を行い、共有フォルダが検索された場合は受信可能信号を送信し、共有フォルダが検索されなかった場合は、受信不可能信号を送信する。画像形成装置１におけるＣＰＵ４２は、同一エリア内の全てのパーソナルコンピュータＰＣ１〜ＰＣｎから受信不可能信号を受信した場合は、ステップＳ３に進み、パーソナルコンピュータＰＣ１〜ＰＣｎのうちいずれか一つのパーソナルコンピュータＰＣから受信可能信号を受信した場合は、ステップＳ４に進む。
【００３１】
ステップＳ３において、ＣＰＵ４２は、スキャンできないこと及びスキャンするためには送信先のパーソナルコンピュータＰＣにおいて共有フォルダの設定をする必要があることをユーザに通知するためのスキャン不可画面Ｇ２をタッチパネル部５２に表示する。図６はスキャン不可画面Ｇ２の一例を示す図である。スキャン不可画面Ｇ２の上部には、例えば、「スキャンできません」及び「受信側で共有フォルダを設定して下さい。」というメッセージが表示される。これにより、ユーザは送信先のパーソナルコンピュータＰＣには共有フォルダが設定されていないことを確認することができ、送信先のパーソナルコンピュータＰＣに共有フォルダを設定し、改めてスキャナ設定画面Ｇ１から送信先の設定をすることができる。
【００３２】
一方、ステップＳ４において、ＣＰＵ４２は、共有フォルダが設定されているパーソナルコンピュータＰＣをユーザに通知するための送信先選択画面Ｇ３をタッチパネル部５２に表示する。図７は送信先選択画面Ｇ３の一例を示す図である。送信先選択画面Ｇ３には、共有フォルダの設定がされているパーソナルコンピュータＰＣが宛先表示部８０に表示され、また、ユーザが送信先のパーソナルコンピュータＰＣを選択するための送信先選択キー８２及びユーザにより選択されたパーソナルコンピュータＰＣを設定するための設定キー８５が表示される。さらに、送信先選択画面Ｇ３の上部には、例えば、「宛先を指定して下さい」というメッセージが表示される。ユーザは、宛先表示部８０に表示される複数のパーソナルコンピュータＰＣから送信先として希望するパーソナルコンピュータＰＣを送信先選択キー８２により選択し、更に設定キー８５を押下することにより、宛先を設定することができ、ＣＰＵ４２はユーザにより設定されたパーソナルコンピュータＰＣのＩＰアドレスをＲＡＭ４４に記録する（ステップＳ５）。ここでは、パーソナルコンピュータＰＣ１を表す「ＰＣ１」が反転表示され、送信先としてパーソナルコンピュータＰＣ１が選択されているが、ユーザが送信先選択キー８２を押下することにより画面をスクロールさせ、他のパーソナルコンピュータＰＣ２，ＰＣ３を送信先として選択することもできる。
【００３３】
次に、ステップＳ６において、ＣＰＵ４２は、共有フォルダ選択画面Ｇ４をタッチパネル部５２に表示する。図８は、共有フォルダ選択画面Ｇ４の一例である。共有フォルダ選択画面Ｇ４の宛先表示部８０には、画像データの送信先であるパーソナルコンピュータＰＣ１に含まれる共有フォルダ名「画像フォルダ１」、「画像フォルダ２」が表示され、また、共有フォルダ選択画面Ｇ４の上部には、例えば、「共有フォルダを指定して下さい」というメッセージが表示される。ユーザは、送信先選択キー８２を用いて宛先表示部８０に表示される複数の共有フォルダから画像データを保存するためのフォルダを選択し、さらに設定キー８５を押下することにより、共有フォルダを設定することができ、ＣＰＵ４２はユーザにより設定された共有フォルダを特定するためのフォルダ識別情報をＲＡＭ４４に記録する（ステップＳ７）。ここでは、画像データの送信先の共有フォルダとして「画像フォルダ１」が設定される。
【００３４】
次に、ステップＳ８において、ＣＰＵ４２はユーザが操作キー部５３のスタートキー４０２を押下したか否かを判断し、スタートキー４０２が押下された場合は、ユーザにより操作パネル部５１を用いた送信先、送信サイズ、解像度等の条件の設定が終了したと判断し、ステップＳ９のスキャナ部１１による画像データの読み取り処理に移行する。
【００３５】
次に、ステップＳ１０において、ＣＰＵ４２は、画像データの送信前に、ＲＡＭ４４に記録されるＩＰアドレスから送信先のパーソナルコンピュータＰＣ１を特定し、パーソナルコンピュータＰＣ１にアクセス制限を行うためのパスワードが設定されているか否かを問い合わせる。ＣＰＵ４２は、パスワードが設定されていない旨を通知するための応答信号をパーソナルコンピュータＰＣ１から受信した場合は、ステップＳ１４に移行し、ＲＡＭ４４に記録されるフォルダ識別情報から送信先の共有フォルダを特定し、パーソナルコンピュータＰＣ１の画像フォルダ１にスキャナ部１１により読み取られた画像データを送信する。一方、ＣＰＵ４２は、パスワードの設定がされている旨を通知するための応答信号をパーソナルコンピュータＰＣ１から受信した場合は、ステップＳ１１に移行し、パスワード入力画面Ｇ５をタッチパネル部５２に表示する。
【００３６】
図９はパスワード入力画面Ｇ５の一例である。パスワード入力画面Ｇ５には、ユーザがパスワードを入力するための空欄部９０及び空欄部９０において入力されたパスワードを設定するための設定キー９１が表示される。ユーザは操作部４００におけるテンキー４０３を用いて空欄部９０にパスワードを入力した後、設定キー９１を押下することによりパスワードの設定を行うことができる。ＣＰＵ４２は、パスワード入力画面Ｇ５により入力されたパスワードをネットワークＩ／Ｆ部７１を介して送信先のパーソナルコンピュータＰＣ１に通知する（ステップＳ１２）。
【００３７】
パーソナルコンピュータＰＣ１におけるＣＰＵ（図示省略）は、設定されているパスワードと、デジタル複合機１から通知されたパスワードを比較し、両者が一致しない場合はデジタル複合機１からの画像データの送信を制限するための送信制限信号をデジタル複合機１に送信し、両方のパスワードが一致する場合は、デジタル複合機１からの画像データの送信を許可するための送信許可信号をデジタル複合機１に送信する。
【００３８】
デジタル複合機１のＣＰＵ４２は、パーソナルコンピュータＰＣ１からネットワークＩ／Ｆ部７１を介して送信許可信号を受信したか否かを判断し（ステップＳ１３）、パーソナルコンピュータＰＣ１から送信許可信号を受信した場合は、ステップＳ１４に進み、スキャナ部１１により読み取られた画像データをパーソナルコンピュータＰＣ１の画像フォルダ１に送信し、パーソナルコンピュータＰＣ１から送信制限信号を受信した場合は、ステップＳ１１に戻り、再度パスワード入力画面Ｇ５をタッチパネル部５２に表示する。
【００３９】
本実施の形態のデジタル複合機１によれば、ＬＡＮ２を介して接続される複数のパーソナルコンピュータＰＣ１〜ＰＣｎから、共有フォルダが設定されているパーソナルコンピュータＰＣを検索し、当該パーソナルコンピュータＰＣ及びパーソナルコンピュータＰＣに設定される共有フォルダをタッチパネル部５２に表示し、ユーザがタッチパネル部５２を用いて画像データの送信先のパーソナルコンピュータＰＣ及び共有フォルダを指定することにより、当該指定されたパーソナルコンピュータＰＣの共有フォルダにデジタル複合機１から画像データが送信される。そのため、ユーザがパーソナルコンピュータＰＣにおいて共有フォルダを設定し、デジタル複合機１のタッチパネル部５２に表示される設定画面に沿って送信先を設定することにより、デジタル複合機１により読み取られた画像データが所望のパーソナルコンピュータＰＣに送信されるので、デジタル複合機１及びパーソナルコンピュータＰＣの操作に不慣れなユーザにとっても、簡易にデジタル複合機１のスキャナ機能を利用することができるようになり、操作性の向上を図ることができる。
【００４０】
さらに、第３者からのアクセス制限を行うためにパーソナルコンピュータＰＣ側でパスワードの設定がされている場合、デジタル複合機１において、ユーザがタッチパネル部５２に表示されるパスワード入力画面Ｇ５を用いてパスワードを入力することにより、デジタル複合機１からパーソナルコンピュータＰＣへの画像データの送信が可能となる。そのため、第３者によりデジタル複合機１からパーソナルコンピュータＰＣに不要な画像データが送信されるのを防止することができる。
【００４１】
【発明の効果】
本発明によれば、画像読み取り装置を利用する際に従来では必要であった情報処理装置でのスキャナユーティリティのインストール等の作業が不要となり、画像読み取り装置の操作性の向上を図ることができる。
【図面の簡単な説明】
【図１】本発明の一実施の形態によるデジタル複合機を用いたネットワークシステムの構成を示す図である。
【図２】本発明の一実施の形態によるデジタル複合機の機械的構成を主に示す側面概略図である。
【図３】図２に示すデジタル複合機の電気的構成を主に示すブロック図である。
【図４】図３に示すデジタル複合機１をネットワークスキャナ装置として用いて原稿を読み取る際の処理を説明するためのフローチャートである。
【図５】タッチパネル部に表示されるスキャナ設定画面Ｇ１の一例を示す図である
【図６】タッチパネル部に表示されるスキャン不可画面Ｇ２の一例を示す図である。
【図７】タッチパネル部に表示される送信先選択画面Ｇ３の一例を示す図である。
【図８】タッチパネル部に表示される共有フォルダ選択画面Ｇ４の一例を示す図である。
【図９】タッチパネル部に表示されるパスワード入力画面Ｇ５の一例である。
【符号の説明】
１  デジタル複合機
１１  スキャナ部
４１  制御部
４２  ＣＰＵ
４３  ＲＯＭ
４４  ＲＡＭ
５１  操作パネル部
５２  タッチパネル部
５３  操作キー部
７１  ネットワークＩ／Ｆ部
７４  ＨＤＤ
【図１】
2004280607.tif 000003
【図２】
2004280607.tif 000004
【図３】
2004280607.tif 000005
【図４】
2004280607.tif 000006
【図５】
2004280607.tif 000007
【図６】
2004280607.tif 000008
【図７】
2004280607.tif 000009
【図８】
2004280607.tif 000010
【図９】
2004280607.tif 000011